(57)【特許請求の範囲】
【請求項１】
底壁３外周から周壁４を起立する容器体２と、該容器体の下部内へ収納させた、吸水により次第に膨張する圧縮体６と、該圧縮体上に載置させて容器体２内へ収納させた、頂壁中央部からステム１１を上方付勢させて起立するエアゾール缶１０と、上記周壁４上部へ頂板１６の外周部を位置決め可能に嵌合させて、容器体２上面を閉塞する蓋体１５とからなり、該蓋体には、上記頂板１６中央部にノズル２２を貫設して、該ノズル内に上記ステム１１上部を上方摺動不能に嵌合させておき、容器体内への給水による上記圧縮体６の膨張で、ステム１１に対してエアゾール缶１０が押上げられて、ステム１１から噴出した霧が上記ノズル２２を通って噴出可能に形成したことを特徴とする時限式殺虫剤容器。
【請求項２】
上記蓋体のノズル２２外方の頂板部分に、単数又は複数の注水孔４１を穿設し、これ等注水孔から閉蓋状態の容器体２内へ注水可能に形成したことを特徴とする請求項１記載の時限式殺虫剤容器。
【請求項３】
底壁３外周から周壁４を起立すると共に、上記底壁ないし周壁下端部に単数又は複数の透孔５１を穿設した容器体２と、該容器体の下部内へ収納させた、吸水により次第に膨張する圧縮体６と、該圧縮体上に載置させて容器体２内へ収納させた、頂壁中央部からステム１１を上方付勢させて起立するエアゾール缶１０と、上記周壁４上部へ頂板１６の外周部を位置決め可能に嵌合させて、容器体上面を閉塞する蓋体１５と、上記容器体２の下半部を遊挿状態で収納する補助容器５２とからなり、上記頂板１６中央部にノズル２２を貫設して、該ノズル内に上記ステム１１上部を上方摺動不能に嵌合させておき、補助容器内への給水による上記圧縮体６の膨張で、ステム１１に対してエアゾール缶１０が押上げられて、ステム１１から噴出した霧が上記ノズル２２を通って噴出可能に形成したことを特徴とする時限式殺虫剤容器。
【発明の詳細な説明】
【０００１】
【発明の属する技術分野】
本発明は、時限式殺虫剤容器に関する。
【０００２】
【従来の技術】
例えば実開平６ー２５１８３号公報には、容器体頂壁の裏面に弁箱を固着させ、該弁箱内から容器体内底部へ流出パイプを垂下すると共に、その弁箱内から上記頂壁を貫通してステムを上方付勢状態に起立し、かつステムには、該ステムを噴射位置に保持するステム押下げ位置保持装置を付設した時限式殺虫剤容器であって、上記容器体胴部の下部内へ隔板を水密に、かつ下降可能に嵌合させて、該隔板下方の胴部内を高圧無害噴射剤充填の第１室に、かつ上方胴部内を高圧殺虫噴出剤充填の第２室に、それぞれ形成すると共に、隔板上面に開口する目塞り穴内へ、上記流出パイプ下端部を水密にかつ抜出し可能に嵌合させ、又容器体底壁に細孔を穿設して、該細孔を引抜き可能な栓で密閉した時限式殺虫剤容器が記載されている。該時限式殺虫剤容器は栓引抜き後から一定時間が過ぎたときに、噴霧が開始されるので、その一定時間内に脱出でき、よってセット者が殺虫剤を吸い込む危険がなく便利である。
【０００３】
【発明が解決しようとする課題】
しかしながら、上述した時限式殺虫剤容器では、容器体内を隔壁により上下に二分しなければならないために組立が難しく製造コストが高くなるという問題があった。
【０００４】
本発明は、一般のエアゾール容器を使用し、かつ組立を簡単にした安価な、しかも使用後には簡単に分別廃棄できる時限式殺虫剤容器を提供することを目的とする。
【０００５】
【課題を解決するための手段】
上記目的を達成するために、第１の手段としては、底壁３外周から周壁４を起立する容器体２と、該容器体の下部内へ収納させた、吸水により次第に膨張する圧縮体６と、該圧縮体上に載置させて容器体２内へ収納させた、頂壁中央部からステム１１を上方付勢させて起立するエアゾール缶１０と、上記周壁４上部へ頂板１６の外周部を位置決め可能に嵌合させて、容器体２上面を閉塞する蓋体１５とからなり、該蓋体には、上記頂板１６中央部にノズル２２を貫設して、該ノズル内に上記ステム１１上部を上方摺動不能に嵌合させておき、容器体内への給水による上記圧縮体６の膨張で、ステム１１に対してエアゾール缶１０が押上げられて、ステム１１から噴出した霧が上記ノズル２２を通って噴出可能に形成した。
また第２の手段としては、上記第１の手段を有すると共に、上記蓋体のノズル２２外方の頂板部分に、単数又は複数の注水孔４１を穿設し、これ等注水孔から閉蓋状態の容器体２内へ注水可能に形成した。
【０００６】
更に第３の手段として、底壁３外周から周壁４を起立すると共に、上記底壁ないし周壁下端部に単数又は複数の透孔５１を穿設した容器体２と、該容器体の下部内へ収納させた、吸水により次第に膨張する圧縮体６と、該圧縮体上に載置させて容器体２内へ収納させた、頂壁中央部からステム１１を上方付勢させて起立するエアゾール缶１０と、上記周壁４上部へ頂板１６の外周部を位置決め可能に嵌合させて、容器体上面を閉塞する蓋体１５と、上記容器体２の下半部を遊挿状態で収納する補助容器５２とからなり、上記頂板１６中央部にノズル２２を貫設して、該ノズル内に上記ステム１１上部を上方摺動不能に嵌合させておき、補助容器内への給水による上記圧縮体６の膨張で、ステム１１に対してエアゾール缶１０が押上げられて、ステム１１から噴出した霧が上記ノズル２２を通って噴出可能に形成した。
【０００７】
【発明の実施の形態】
図１及び図２は本発明容器１の第１実施形態を示す。該容器は容器体と、圧縮体と、エアゾール缶、及び蓋体とからなり、上記容器体と蓋体とを合成樹脂材で成形している。
【０００８】
容器体２は、底壁３外周から周壁４を起立しており、該周壁には上部外面に螺条５を周設している。
【０００９】
符号６は上記底壁３に載置させて、容器体２の下部内へ収納した圧縮体であり、該圧縮体は吸水により次第に膨張して、後述するエアゾール缶をステムに対して徐々に押上げ、該押上げ長が所定長に達したときに、エアゾール缶を開弁させるものである。図示例では膨張方向が主として厚み方向となるように、外周面を周壁内面へ近接させた状態で圧縮体６を容器体２内へ収納している。上記圧縮体６として、本実施形態では後述する圧縮タオルを用い、エアゾール缶を押上げるようにしている。
【００１０】
符号１０は内部に殺虫剤を装填したエアゾール缶を示す。該エアゾール缶は上記圧縮体６上に底面を載置して、容器体２内へ収納されている。エアゾール缶は公知であるから、構造及び作用を簡単に説明する。上記エアゾール缶１０は頂壁中央部から、吐出弁を下端部に有するステム１１を上方付勢させて起立している。該ステムは付勢に抗して所定長押下げられると、上記吐出弁が開弁して、ステム１１から上記殺虫剤が噴出する。該ステムの押下げが解除されて上昇すると、上記吐出弁が閉弁して、殺虫剤の噴出が停止する。
【００１１】
蓋体１５は上記周壁４上部へ、頂板１６の外周部を位置決め可能に嵌合させて、容器体上面を閉塞する。上記頂板１６はその外周から、外面を周壁上端部内面へ嵌合させて内筒部１７を起立し、該内筒部上端から外向きフランジ１８を介して、周壁上端部外面へ嵌合する外筒部２０を垂下している。該外筒部の内面には螺条２１が周設されており、該螺条は既述した容器体の螺条５に螺合し、エアゾール缶１０が押上げられたときに、頂板１６が持ち上げられないようにしている。なお、本実施形態では、蓋体１５と容器体２との位置決めを螺合により行ったが、これらを凹凸の係止手段を介して位置決めを行うようにしてもよい。
【００１２】
上記頂板１６は、その中央部にノズル２２を貫設しており、該ノズル内面にステム１１上端が当接する下向き段部を設けて、該ステム１１上部を上方摺動不能に嵌合させている。
【００１３】
既述圧縮タオルの押上げ能力について以下説明する。該圧縮タオルは縦３１ｃｍ×横３１ｃｍの綿１００％のタオル地を、ほぼ厚み２２．０ｍｍ，直径４４．８ｍｍの円柱形状にプレス加工したもので、円板状のラベルを２枚封入した状態でシュリンクフイルムで包装されて、ＴＯＷＯＬ  ＰＥＴＩＴ〔（商品名）発売元：サンドライ株式会社，製造元：オーミケンシ株式会社〕として販売されている。このＴＯＷＯＬ  ＰＥＴＩＴの１２個について、厚み及び直径を測定した。その測定データは下記の表１に示す。
【００１４】
【表１】
0003618864.tif 000002
【００１５】
上記圧縮タオルの膨張力と、膨張後の厚みとを測定するテスト装置を図６に示す。該テスト装置は、上面開口の浅底容器３０と、圧縮タオルの外径とほぼ同内径であって、透孔３１を穿設した隔壁３２を有し、かつ該隔壁下方に切欠き３３を形成した筒体３４と、該筒体内に昇降自在なプレート３５と、膨張力を測定するプッシュプルゲージ３６とからなる。膨張力は上記隔壁３２とプレート３５との間に圧縮タオルを介在させ、しかる後に浅底容器３０内へ約５０ｃｃの水を注入し、プレート３５が３ｍｍ押上げられた位置で、プッシュプルゲージ３６により測定した。また膨張後の厚みはプッシュプルゲージ３６を取り去り、放置して測定した。これらの測定データは下記の表２に示す。なお、参考例として、厚み方向の中間で切断して、厚みを１／２にした圧縮タオルついても同様な測定をした。
【００１６】
【表２】
0003618864.tif 000003
【００１７】
ここで、一般のエアゾール缶は、ステムが約０．１ｍｍ〜約１．０ｍｍ押下げられたときに開弁するよう設けられており、またステムの付勢力が約１．０ｋｇ〜約１．５ｋｇであることから、上記測定結果によると、圧縮タオルは少なくとも約１．０ｋｇのエアゾール缶を押上げて開弁させる能力が十分ある。実際に圧縮タオル、自重約０．３ｋｇのエアゾール缶１０を容器体２に装填して吸水させたところ、注水後、しばらくしてから噴霧が開始した。また参考例もエアゾール缶を開弁させる能力があることからわかるように、圧縮タオルの形状は適宜変更することができる。なお、圧縮体６としては、上記圧縮タオルの他、プレス加工して嵩を圧縮した織物や、吸水により数倍以上に膨張する合成樹脂等であってもよい。
【００１８】
以下、図１及び図２が示す時限式殺虫剤容器１の作用について説明する。該時限式殺虫剤容器では、容器体２から蓋体１５を取り外し、容器体２内へ注水した後、再び蓋体１５を容器体２に装着して噴霧セットを行う。該噴霧セットが行われると、圧縮体６は水を徐々に吸水して、一定時間が経過すると上下方向に伸長し、エアゾール缶１０を上方へ押上げる。このとき、ステム１１上部はノズル内に上方摺動不能に嵌合しているので、エアゾール缶１０内に押込まれることになる。そして、ステム１１が所定長押込まれるとエアゾール缶１０は開弁し、内部の殺虫剤がノズル２２から噴出する。
【００１９】
使用後、廃棄するときには蓋体１５を取り外すと、エアゾール缶１０と圧縮体６とを容器体２内から簡単に取り出せるので、時限式殺虫剤容器１は蓋体１５，容器体２，圧縮体６及びエアゾール缶１０に容易に分解できる。
【００２０】
図３及び図４は本発明時限式殺虫剤容器１の第２実施形態を示す。なお、該実施形態の構成は上記第１実施形態と略同様であるから、同様な部材に同一符号を用いて異なる部分について説明する。時限式殺虫剤容器１は、上記蓋体１５のノズル２２外方の頂板部分に、単数又は複数の注水孔４１を穿設したものである。該構成によれば、蓋体１５を取り外すことなく、上記注水孔４１から注水することで、噴霧セットを行うことが可能である。なお、図示例では注水孔４１として、図４が示す長孔をノズル２２外方の頂板部分に４個配したが、形状及び個数は適宜変更してもよい。
【００２１】
図５は本発明時限式殺虫剤容器１の第３実施形態を示す。該容器はでは請求項１記載の構成に、容器体の下半部を遊挿状態で収納する補助容器５２を加え、かつ容器体の底壁ないし周壁下端部に単数又は複数の透孔５１を穿設している。該構成によれば、容器体２を補助容器５２内に収納させた後、該補助容器内へ注水する操作や、また容器体２下部を水中に沈める簡単な操作で噴霧セットを行うことができる。該噴霧セットが行われると、圧縮体６は周壁の透孔５１を介して吸水し、エアゾール缶１０を押上げ、吐出弁を開弁する。該開弁により、殺虫剤はステム１１、ノズル２２を通って噴出する。
【００２２】
【発明の効果】
請求項１記載の発明は既述構成とするもので、容器体２内へ給水したとき、圧縮体６は徐々に吸水して膨張し、ステム１１に対してエアゾール缶１０を押上げることになるから、噴霧セット完了から一定時間経過後に、実際に噴霧が開始されるので、使用者が殺虫剤を吸い込むことがない。また圧縮体６、エアゾール缶１０の順に装填した容器体上面を、蓋体１５で閉塞する簡単な構造にしたから組立が簡単となり、よって製造コストを安価にすることができる。更に頂板１６外周部を周壁４上部へ位置決め可能に嵌合させて、蓋体１５を容器体に取り付けたから、廃棄するときに時限式殺虫剤容器１を蓋体１５、容器体２、圧縮体６及びエアゾール缶１０に簡単に分離でき、よって合成樹脂材、金属、可燃物に容易に分別することができる。
【００２３】
請求項２記載の発明は既述構成とするもので、蓋体１５に注水孔４１を穿設したから、請求項１記載の発明と同様な効果を有すると共に、注水孔４１から水を注ぐ簡単な操作で噴霧セットを行うことができる。
【００２４】
また請求項３記載の発明は、請求項１記載の構成に容器体２の下半部を遊挿状態で収納する補助容器５２を加え、かつ容器体２の底壁３ないし周壁下端部に透孔５１を穿設したから、請求項１記載の発明と同様な効果を有すると共に、容器体２を補助容器５２内に収納させた後、該補助容器内に水を注ぐ簡単な操作で噴霧セットを行うことができる。
【図面の簡単な説明】
【図１】時限式殺虫剤容器の第１実施形態に示す縦断面図である。
【図２】図１に示す時限式殺虫剤容器の平面図である。
【図３】時限式殺虫剤容器の第２実施形態を示す縦断面図である。
【図４】図３に示す時限式殺虫剤容器の平面図である。
【図５】時限式殺虫剤容器の第３実施形態を示す縦断面図である。
【図６】圧縮タオルの膨張力、及び吸水後の厚みを測定する装置を示す図である。
【符号の説明】
１  時限式殺虫剤容器
６  圧縮体
１０  エアゾール缶
１５  蓋体
４１  注水孔
５１  透孔
【図１】
0003618864.tif 000004
【図２】
0003618864.tif 000005
【図３】
0003618864.tif 000006
【図４】
0003618864.tif 000007
【図５】
0003618864.tif 000008
【図６】
0003618864.tif 000009